(57)【要約】【課題】電源等の駆動源を要することなく、手動操作によって粉末又は顆粒状飲料を液体飲料に容易に溶解することができる家庭用の飲料混合容器を提供する。【解決手段】飲料混合容器(1)は、頂部開口形容器(2)の中心部において上下方向に延びる軸部(4)と、複数の攪拌翼(52)を備えた容器内の翼部(5)と、軸部を昇降可能に支承する軸部支承手段(35)とを有する。翼部の中心部は軸部に一体的に連結される。軸部は手動で軸線方向に往復動され、翼部は上下動する。【選択図】図１
2011250979.tif 000002
【特許請求の範囲】
【請求項１】
粉末又は顆粒状飲料を液体飲料に溶解させるための攪拌翼を有する飲料混合容器において、
液体飲料を収容する頂部開口形容器の中心部に配置され、上下方向に延びる軸部と、
前記容器内に配置され、複数の攪拌翼を備えた翼部と、
前記軸部を昇降可能に支承する軸部支承手段とを有し、
前記翼部の中心部は、前記軸部の下端部分に一体化し、前記軸部の上部は、手指で握持又は把持されるようになっており、前記翼部は、前記軸部を手動で往復動させることにより、容器内において上下動することを特徴とする飲料混合容器。
【請求項２】
前記軸部支承手段は、前記容器の蓋部の中央部に形成され且つ前記軸部を挿通せしめる貫通孔からなることを特徴とする請求項１に記載の飲料混合容器。
【請求項３】
前記軸部は、手指で握持可能又は把持可能な握持部を上端部分に有することを特徴とする請求項１又は２に記載の飲料混合容器。
【請求項４】
前記翼は夫々、前記翼部の中心部から外方に拡開する扇形平面形態を有し、各翼は、前記中心部から下側に所定の角度（β）をなして傾斜して外方に延びるとともに、周方向に所定の傾角（α）をなして傾斜することを特徴とする請求項１乃至３のいずれか１項に記載の飲料混合容器。
【請求項５】
下側に傾斜する前記翼の角度（β）は、軸部の中心軸線に対して９５°〜１１５°の角度範囲内に設定され、周方向に傾斜する前記翼の傾角（α）は、周方向に対して３°〜２０°の角度範囲内に設定されることを特徴とする請求項４に記載の飲料混合容器。
【請求項６】
前記翼は、７５〜９０°の角度範囲内に設定された開き角（θ）の扇状平面輪郭を有することを特徴とする請求項１乃至５のいずれか１項に記載の飲料混合容器。
【請求項７】
前記容器、軸部及び翼部は夫々、合成樹脂一体成形品からなることを特徴とする請求項１乃至６に記載の飲料混合容器。
【発明の詳細な説明】
【技術分野】
【０００１】
本発明は、飲料混合容器に関するものであり、より詳細には、ココア、インスタントコーヒー、粉末茶、粉末麦芽飲料等の粉末又は顆粒状飲料を水、牛乳等の溶媒に溶解させて液体飲料を作るための家庭用の飲料混合容器に関するものである。
【背景技術】
【０００２】
ココア、インスタントコーヒー、粉末茶、粉末麦芽飲料等の粉末又は顆粒状飲料を水、牛乳等の液体飲料（溶媒）と混合するには、粉末又は顆粒状飲料と液体飲料とをカップ等の飲料容器に投入し、必要に応じてスプーン、マドラー、調理用ミキサー等によって攪拌したり、或いは、粉末飲料と液体飲料とをシェイカー内に投入し、シェイクにより混合・攪拌する方法が一般に採用される。
【０００３】
このような飲料混合の工夫として、例えば、特開2004-236691号公報には、粉末又は顆粒状飲料を筒体内に収容してなるスティック状の有孔容器が記載されている。スティック状容器は液体飲料に浸漬され、有孔容器内の粉末又は顆粒状飲料は開孔を介して容器外に溶出し、液体飲料に溶解する。
【０００４】
また、特開2000-237068号公報には、アルコール等の液体飲料を収容可能な主容器と、混合材料収納容器を収納した蓋体とから構成されたシェイカー形態の混合容器が記載されている。混合材料収納容器には、ライム等の混合材料が収容される。使用において、混合材料収納容器内の混合材料を主容器内の液体飲料に添加し、蓋体で密封した主容器をシャイクすることにより、混合材料を液体飲料に混合することができる。
【０００５】
この他、駆動装置を用いて飲料等を強制攪拌する飲料混合・攪拌手段として、特開2000-185971号公報には、攪拌羽根を有する調理用ミキサーが記載され、特開平8-275888号公報及び特開2004-38824号公報には、攪拌翼を有する工業用又は産業用の混合攪拌装置が記載されている。これらの混合攪拌装置の攪拌羽根又は攪拌翼は、電動機等の駆動装置によって回転駆動される。
【先行技術文献】
【特許文献】
【０００６】
【特許文献１】特開2004-236691号公報
【特許文献２】特開2000-237068号公報
【特許文献３】特開2000-185971号公報
【特許文献４】特開平8-275888号公報
【特許文献５】特開2004-38824号公報
【発明の概要】
【発明が解決しようとする課題】
【０００７】
駆動装置によって攪拌羽根又は攪拌翼を回転駆動する調理用ミキサーや、工業用又は産業用の混合攪拌装置によれば、粉末又は顆粒状飲料を液体飲料に確実に溶解し得るかもしれない。しかし、この種の混合攪拌装置は、電源等の駆動源を要し、電力等の動力を消費するので、粉末麦芽飲料等を牛乳等に攪拌するために簡易に使用するような家事用途に日常的に使用するには適していない。
【０００８】
他方、シェイカー形態の混合容器等によって粉末又は顆粒状飲料を液体飲料に溶解する場合には、液体の温度や、粉末又は顆粒の性状によっては粉末又は顆粒状飲料を液体飲料に比較的容易に溶解し得ることもあるが、多くの場合、粉末又は顆粒状飲料を液体飲料に容易に溶解し難く、多くの残渣（ダマ）が残留することが経験的に知られている。
【０００９】
本発明は、このような課題に鑑みてなされたものであり、その目的とするところは、電源等の駆動源を要することなく、手動操作によって粉末又は顆粒状飲料を液体飲料に容易に溶解することができる家庭用の飲料混合容器を提供することにある。
【課題を解決するための手段】
【００１０】
上記目的を達成すべく、本発明は、粉末又は顆粒状飲料を液体飲料に溶解させるための攪拌翼を有する飲料混合容器において、
液体飲料を収容する頂部開口形容器の中心部に配置され、上下方向に延びる軸部と、
前記容器内に配置され、複数の攪拌翼を備えた翼部と、
前記軸部を昇降可能に支承する軸部支承手段とを有し、
前記翼部の中心部は、前記軸部の下端部分に一体化し、前記軸部の上部は、手指で握持又は把持されるようになっており、前記翼部は、前記軸部を手動で往復動させることにより、容器内において上下動することを特徴とする飲料混合容器を提供する。
【００１１】
本発明の上記構成によれば、軸部を手動で軸線方向に往復動させることにより、容器内の流動物を剪断し且つ流動させ、流動物を構成する粉末・顆粒状飲料と液体飲料とを効果的に混合攪拌することができる。このようにして混合攪拌された流動物においては、粉末又は顆粒状飲料は良好に液体飲料（溶媒）に溶解しており、残渣（ダマ）の残留もなく、従って、飲用に適した良質の飲料を本発明の飲料混合容器によって作ることができる。また、混合の時間、程度、状態等は、軸部を上下動する手指の力によって人為的且つ任意に調節することができるので、混合すべき粉末・顆粒状飲料及び液体飲料の種類、状態等や嗜好に応じて飲料の混合状態を任意に調節することができる。
【発明の効果】
【００１２】
本発明の飲料混合容器によれば、電源等の駆動源を要することなく、手動操作によって粉末又は顆粒状飲料を液体飲料に容易に溶解することができる。
【図面の簡単な説明】
【００１３】
【図１】図１は、飲料混合容器の正面図である。
【図２】図２は、飲料混合容器の側面図である。
【図３】図３は、飲料混合容器の平面図である。
【図４】図４は、図１のＩ−Ｉ線における飲料混合容器の断面図である。
【図５】図５は、攪拌ロッドの正面図及び縦断面図である。
【図６】図６は、攪拌翼の正面図、平面図及び縦断面図である。
【図７】図７は、飲料混合容器の使用状態を概念的に示す概略断面図である。
【図８】図８は、攪拌翼の作用を概念的に示す概略断面図である。
【図９】図９は、攪拌翼の作用を概念的に示す概略断面図である。
【発明を実施するための形態】
【００１４】
本発明の好適な実施形態によれば、上記軸部支承手段は、容器の蓋部の中央部に形成され且つ軸部を挿通せしめる貫通孔からなる。好ましくは、容器の蓋の中心部には、円筒状ボス部が形成され、貫通孔は、ボス部の軸部挿通孔からなる。
【００１５】
本発明の更に好適な実施形態によれば、軸部は、手指で握持可能又は把持可能な握持部を上端部分に有する。好ましくは、握持部は、軸部の上端部に一体化した把手、ハンドル、板状部材又はロッド状部材からなる。更に好ましくは、上記容器、軸部及び翼部等の各構成要素は、合成樹脂一体成形品からなる。所望により、軸部及び翼部を一体成形することも可能である。
【００１６】
本発明の好ましい実施形態において、上記翼は、翼部の中心部から外方に拡開する扇形平面形態を有し、各翼は、翼部の中心部から下側に所定の角度（β）をなして傾斜して外方に延びるとともに、周方向又は水平方向に対して所定の傾角（α）をなして傾斜する。下側に傾斜する翼の角度（β）は、好ましくは、９５°〜１１５°の角度範囲内、更に好ましくは、１００°〜１１０°の角度範囲内に設定され、周方向に傾斜する翼の傾角（α）は、好ましくは、３°〜２０°の角度範囲内、更に好ましくは、５°〜１５°の角度範囲内に設定される。好適には、各翼は、実質的に同一の形態を有し、３乃至５枚の翼、例えば、４枚の翼が軸部廻り又は芯部廻りに均一な角度間隔を隔てて配置される。
【００１７】
本発明の更に好ましい実施形態において、上記翼は、７５〜９０°の角度範囲内に設定された開き角（θ）、例えば、開き角（θ）＝約８０°の扇状平面形態を有する。
【実施例１】
【００１８】
以下、添付図面を参照して、本発明の実施例に係る飲料混合容器について詳細に説明する。
【００１９】
図１、図２、図３及び図４は、飲料混合容器の正面図、側面図、平面図及び断面図である。
【００２０】
飲料混合容器１は、頂部開口形の容器本体２と、容器本体２の頂部開口を閉塞する蓋３と、蓋３を貫通する攪拌ロッド４と、容器本体２内に配置され且つ攪拌ロッド４に一体的に連結された攪拌翼５とから構成される。攪拌ロッド４は軸部を構成し、攪拌翼５は翼部を構成する。容器本体２、蓋３、攪拌ロッド４及び攪拌翼５は、中心軸線Ｘ−Ｘに対して同心状に配置される。
【００２１】
容器本体２は、透明な樹脂の一体成形品からなり、真円形断面の内周壁面２３（図４）を形成する円筒状容器壁２１と、容器底面２４を形成する円形底板２２とから構成される。容器壁２１の頂部外周には、蓋３の内側に形成された雌螺子部３９（図４）と螺合する雄螺子部２９（図４）が形成される。
【００２２】
蓋３は、不透明な樹脂の一体成形品からなり、雌螺子部３９を備えた筒状スカート部３１と、容器本体２の頂部開口を閉塞する頂板３２とから構成される。螺合部３１の外周面には、手指による蓋３の握持を容易にする突起３３が所定の角度間隔を隔てて配設される。蓋３の中心部には、攪拌ロッド４を挿通可能な垂直貫通孔を備えた円筒状ボス部３５が形成される。ボス部３５は、軸部（攪拌ロッド４）を昇降可能に支承する軸部支承手段を構成する。図４に示すように、ボス部３５の下端面３６は、攪拌翼５の上端面５６と衝合して攪拌ロッド４の昇降ストロークＳを規制する。所望により、攪拌ロッド４の表面に突起等を形成し、このような突起等によって昇降ストロークＳを規制しても良い。
【００２３】
図５は、攪拌ロッド４の正面図及び縦断面図である。
【００２４】
攪拌ロッド４は、手指で握持可能又は把持可能な握持部４１と、握持部４１の中央部から垂下するロッド部４２とから構成される。握持部４１は、垂直平板部分４５と、平板部分４５の外縁部に形成された拡大縁部４４とから構成される。ロッド部４２は、握持部４の中心部に連接して握持部４１から垂下する。ロッド部４２は、全長に亘って均一な円形断面を有する。ロッド部４の下部には、攪拌翼５の突起５４（図６）に係合可能な溝４３が形成される。
【００２５】
図６は、攪拌翼５の正面図、平面図及び縦断面図である。
【００２６】
攪拌翼５は、ロッド部４２を挿入可能な筒状芯部５１と、芯部５１に固定された複数の翼５２とから構成される。芯部５１の中空部５３には、ロッド部４２の溝４３に係合可能な突起５４が形成される。中空部５３の下端部は、半球形底部５５によって閉塞する。
【００２７】
翼５２は、底部５５に隣接して周方向に所定間隔を隔てて配置される。本例では、攪拌翼５は、４枚の翼５２を有する。各々の翼５２は、軸流送風機又は扇風機の翼、或いは、船舶のスクリュープロペラ等の翼と同様、扇状輪郭を有する。各々の翼５２は、図６（Ｂ）に示す如く、７５〜９０°の角度範囲内に設定された所定の開き角θ（本例では、約８５°）を有する。各々の翼５２は、図６（Ａ）に示す如く、周方向又は水平方向に対して所定の傾角αをなして傾斜する。傾角αは、鋭角であり、本例では、約１０°に設定される。各々の翼５２は又、図６（Ｃ）に示す如く、中心軸線Ｘ−Ｘ（鉛直軸線）に対して所定の角度βをなして下方且つ先端方向に傾斜する。角度βは所定の鈍角（本例では、１０５°）である。隣り合う翼５２の間には、容器内の流体又は流動物を流通可能な流路６が形成される。流路６は、翼５２の傾角αの方向に延び、図８及び図９に示す如く、翼５２の上方域８と下方域９とを相互連通する。
【００２８】
前述の如く、翼５２は、スクリュープロペラ等と類似した形態を有するが、飲料混合容器１の翼５２は、攪拌翼５の回転運動によって回転軸線Ｘ−Ｘ方向に流体の流れを生起するためのものではなく、攪拌翼５の回転運動を伴わずに軸線Ｘ−Ｘ方向（鉛直方向）に往復動して容器内の流体を攪拌するためのものである。
【００２９】
使用において、使用者は、蓋３を手指で回転して容器本体２の頂部開口を開放し、ココア、インスタントコーヒー、粉末茶、粉末麦芽飲料等の粉末又は顆粒状飲料と、牛乳等の液体飲料（溶媒）とを容器本体２内に導入する。次いで、使用者は、蓋３を容器本体２に装着し、飲料混合容器１を密封する。使用者は更に、手指で握持部４１を握持又は把持し、攪拌ロッド４を上下動する。攪拌ロッド４は、手指によって拘束された状態で上下動されるので、攪拌翼５は、回転しない状態で上昇又は降下する。
【００３０】
図７は、飲料混合容器の使用状態を概念的に示す概略断面図である。
【００３１】
攪拌翼５は、矢印Ｍで示す攪拌ロッド４の上下動に相応して上下動し、攪拌翼４の上方域８及び下方域９の容積を変化させる。上方域８及び下方域９の流動物Ｌ（粉末・顆粒状飲料及び液体飲料）は、上方域８及び下方域９の容積変化に相応して翼５２の間の流路６、７（図８、図９）を流通し、上方域８及び下方域９に交互に流入する。
【００３２】
図８及び図９は、攪拌翼の作用を概念的に示す概略断面図である。
【００３３】
図８には、流路６を流動する流動物Ｌの流れが概念的に示されている。図８（Ａ）に示す如く、上方域８の流動物Ｌは、翼５２の上昇時（矢印Ｍ方向の移動時）に流路６を介して下方域９に流動する。他方、図８（Ｂ）に示す如く、下方域９の流動物Ｌは、翼５２の降下時（矢印Ｍ方向の移動時）に流路６を介して上方域８に流動する。傾角αの方向に延在する翼５２の上面５８又は下面５９に沿って流動する流動物Ｌには、流動物Ｌを混合攪拌する剪断力が作用する。
【００３４】
このような剪断力は、円筒状容器壁２１と翼５２との間の流路７を流動する流動物Ｌにも作用する。図９には、内周壁面２３と翼５２との間に形成された比較的狭小な流路７を流動する流動物Ｌの流れが概念的に示されている。図９（Ａ）に示す如く、上方域８の流動物Ｌは、翼５２の上昇時（矢印Ｍ方向の移動時）に流路７を介して下方域９に流動する。他方、図９（Ｂ）に示す如く、下方域９の流動物Ｌは、攪拌ロッド４の降下時（矢印Ｍ方向の移動時）に流路７を介して上方域８に流動する。内周壁面２３に沿って流動する流動物Ｌには、流動物Ｌを混合攪拌する剪断力が作用する。
【００３５】
翼５２の表面に沿って流動する流動物Ｌの流れは、周方向の成分を有するので、周方向の流れ又は旋回流が容器１内に発生する。このため、流動物Ｌは、内周壁面２３に沿って周方向に流動し、これによっても、流動物Ｌを混合攪拌する剪断力が流動物Ｌに作用する。このような剪断力は、流動物Ｌに含まれる残渣（ダマ）を分解するのに有効に働く。
【００３６】
かくして、本発明の飲料混合容器１によれば、手指で握持部４１を握持又は把持して攪拌ロッド４を上下動することにより、容器１内の流動物Ｌを剪断し且つ流動させ、流動物Ｌを構成する粉末・顆粒状飲料と液体飲料とを効果的に混合攪拌することができる。このようにして混合攪拌された流動物Ｌにおいては、粉末又は顆粒状飲料は良好に液体飲料（溶媒）に溶解しており、残渣（ダマ）の残留もなく、従って、飲用に適した良質の飲料を飲料混合容器１によって作ることができる。また、混合の時間、程度、状態等は、攪拌ロッド４を上下動する手指の力によって人為的且つ任意に調節することができるので、混合すべき粉末・顆粒状飲料及び液体飲料の種類、状態や嗜好等に応じて混合状態を任意且つ自由に調節することができる。
【００３７】
以上、本発明の好適な実施例について詳細に説明したが、本発明は上記実施例に限定されるものではなく、特許請求の範囲に記載された本発明の範囲内で種々の変形又は変更が可能である。
【００３８】
例えば、上記実施例においては、飲料混合容器は、４枚の翼を有するが、３枚又は５枚以上の翼を備えた構成のものであっても良い。
【００３９】
また、上記実施例の飲料混合容器は、蓋によって密閉可能な構成のものであるが、蓋のない頂部開放形の容器や、蓋に部分開口を有する容器等に対して本発明の構成を適用することも可能である。
【００４０】
更に、上記実施例においては、飲料混合容器は、別体の攪拌翼及び攪拌ロッドを接続した構成を有するが、攪拌翼及び攪拌ロッドを一体成形しても良い。
【産業上の利用可能性】
【００４１】
本発明は、粉末又は顆粒状飲料と液体飲料とを混合攪拌する簡易な構成の飲料混合容器を提供する。本発明の飲料混合容器は、安価に製造可能な構造を有し、電源等の動力を要さず、複雑な内部機構を備えず、容器の洗浄・清掃等も容易であり、従って、家事用途に日常的に使用するのに極めて適した構成のものであり、その実用的効果は、顕著である。
【符号の説明】
【００４２】
１  飲料混合容器
２  容器本体
３  蓋
４  攪拌ロッド
５  攪拌翼
３５  円筒状ボス部
４１  握持部
４２  ロッド部
５２  翼
【図１】
2011250979.tif 000003
【図２】
2011250979.tif 000004
【図３】
2011250979.tif 000005
【図４】
2011250979.tif 000006
【図５】
2011250979.tif 000007
【図６】
2011250979.tif 000008
【図７】
2011250979.tif 000009
【図８】
2011250979.tif 000010
【図９】
2011250979.tif 000011